(57)【特許請求の範囲】
【請求項１】
いずれも厚紙に代表されるシート材からなる胴部、底板および外装スリーブからなり、前記胴部の裾胴部分を、カップ外側へ全周にわたり突出された突出部とし、該突出部に底板が接着され、前記胴部の上胴部分と前記突出部の外周面とにフラットな外装スリーブが接着され、前記上胴部分と前記突出部の外周面との間の胴部外面と外装スリーブ内面との間に断熱空間が形成されている断熱カップ。
【請求項２】
突出部の内面側に底板の外縁部が接着され、前記突出部の外面側に筒状の外装スリーブの下端部が接着されている請求項１記載の断熱カップ。
【請求項３】
上胴部分と裾胴部分と外装スリーブとの接着部分が、加圧接着部分とされている請求項１または請求項２記載の断熱カップ。
【請求項４】
胴部の上胴部分と突出部との間に、少なくとも１本の、外装スリーブの内面に当接するピータ線たる凸条が突設されている請求項１、請求項２または請求項３記載の断熱カップ。
【請求項５】
厚紙に代表されるシート材により、胴部壁、底板および外装スリーブが形成されている断熱カップにおいて、胴部壁のトップカールの下方の上胴部分と、胴部壁と底板との結合部より下方の裾胴部分との間の胴部壁の全周にわたって、容器内側へ凹陥した縮経胴部が形成されており、上胴部分と裾胴部分との外面に、胴部壁の全外面を被覆する外装スリーブが接着され、前記縮経胴部と外装スリーブとの間に断熱空間が形成されている請求項１、請求項２または請求項３記載の断熱カップ。
【請求項６】
上胴部分における胴部壁の縮経部分が上向き水平面に近い段差部を形成している請求項５記載の断熱カップ。
【請求項７】
縮経胴部の中央域に、外装スリーブの内面との接着凸部が全周にわたって形成されている請求項５または請求項６記載の断熱カップ。
【請求項８】
前記上胴部分と前記突出部の外周面との間の胴部外面と外装スリーブ内面との間に、カップの軸方向において前記上胴部分と前記突出部との間全体にわたって断熱空間が形成されている、請求項１に記載の断熱カップ。
【発明の詳細な説明】
【０００１】
【発明の属する技術分野】
本発明は、熱いコーヒー、紅茶、緑茶等の飲用カップやインスタントカップ麺容器等として使用されるところの厚紙に代表されるシート材製の断熱カップの改良に関する。
【０００２】
【従来の技術】
この種の断熱カップとしては、実開平４−４５２１２号公報の考案（考案の名称：断熱紙カップ）（以下考案Ａと称する）や、実開平６−３９７１７号公報の考案（考案の名称：断熱性紙カップ）（以下考案Ｂと称する）が知られているが、考案Ａは、図７に示すごとく、外層紙ｂのボトムｃを内側へカールさせ、該カール部ｊを胴紙ａに当接させて断熱層ｄを形成するものであり、筒状にした外装紙ｂの手間のかかるボトム内側カール加工工程を必要とする問題がある。
【０００３】
また前記内向きカールｊの存する外層紙ｂの下端を整然として円筒形に形成するのは著しく困難であり、内向きカールｊの外面に皺よりによる凹凸が生ずる問題も存する。
【０００４】
考案Ｂは、図８に示すごとく、胴紙ｅと外層紙ｆとの間に断熱材たるエンボス紙ｇを介在させて断熱層ｈを形成するものであり、別にエンボス加工された断熱材ｇを胴紙ｅと外層紙ｆとの間に貼合介在させる工程を必要としている問題を有している。
【０００５】
更に前述の従来の考案Ａおよび考案Ｂでは、いずれも、断熱性紙カップの製造工程中に特別な加工工程を加える必要があり、コストアップが避けられない問題を有している。
【０００６】
特に、図７に示す考案Ａでは、外層紙ｂのボトムｃの内側向けボトムカールｊを設けた場合、組立てに際し、胴紙ａよりなる本体カップの下端部が外層紙ｂのカール部ｊにひっかかり、両者の結合工程で不良を発生し易い問題も有している。
【０００７】
また図１３に示されるごとく、カップ胴部Ｇに上下２段の水平リブＨ、Ｉを突出させ、カップ胴部ＧのトップカールＪの下部と、胴部Ｇの下部外周面とに、下端に内向きカールＫを形成された筒状体Ｌを接着し、かつ前記水平リブＨ、Ｉの外面に接触させるか、僅かに間隔を存して対峙させ、手指でカップ胴部Ｇを把持したときの筒状体Ｌの、カップ胴部Ｇ側への変形を防止したものとか、図１４に示されるごとく、カップ胴部Ｍの上部に縮径段部Ｎを形成し、該縮径段部Ｎから底部側壁Ｏに至る間を直筒に近いカップ胴部Ｍとし、前記縮径段部Ｎの上方の上胴部Ｐと、前記底部側壁Ｏとの間に外装スリーブＱを接着し、カップ胴部Ｍと外装スリーブＱとの間に断熱空間Ｒを形成したものとかが知られている。
【０００８】
図１３に示す断熱カップでは、把持時の筒状体Ｌの変形は防止されるものの、内向きカールＫについて、図７に示すものと同様の問題点を有するし、図１４に示す断熱カップでも、図７に示すものと同様に外装スリーブＱの変形、底部側壁Ｏ寄りの外装スリーブＱの断熱効果の喪失という問題を有している。
【０００９】
図７および図１４に示される断熱カップの有する問題点を解決するものとして、図１５に示す登録実用新案第２５６７９４２号公報に記載される構造のものも提案されているが外装スリーブＳとしてコルゲートＴをカップ胴部Ｕ側に向けた片ダンボールＶを用い、該片ダンボールＶの上下部分をカップ胴部Ｕの上部と底部側壁Ｗとに接着した構造であり、カップ胴部Ｕの上部と低部側壁Ｗとが単一の逆截頭円錐面内に存在するため、片ダンボールＶを券装するのは、均質の大量生産という面で、コルゲートＴの存在のため、技術的に著しい困難を伴い、しかも片ダンボールＶの使用の点でコストアップを避けられない問題を有している。
【００１０】
【発明が解決しようとする課題】
前記従来の断熱カップの有する諸問題に鑑み、本発明は、厚紙に代表されるシート材製であるにも拘らず、胴部の断熱性が概ね均等であり、通常の把持状態では変形しない強度を有し、カップの胴部と外装スリーブとの接着部分の強度が大であり、かつ上胴部における外装スリーブとの接着部分のカップ内側部分を、添加物や小スプーン等の受皿の載置部としても機能できると共に、構造が比較的に簡単であり、比較的廉価に、高い生産効率で製造できる断熱カップを提供することを課題としている。
【００１１】
また、本発明は、フラットな外装スリーブを使用し、胴部の成形工程中で接合部分の突出加工をするだけで断熱層を形成することができ、ボトムカール加工や断熱材の貼合などを不要とし、構造が比較的に簡単であることと相俟ち、比較的廉価に、高い生産効率で製造できるのみでなく、同形、同容量の従来の断熱カップに比し、裾胴部分に形成された突出部の厚さだけ、静置縁部を広くしうるので、平面に静置させた際の静置安定度の高い断熱カップを提供することを課題としている。
【００１２】
【課題を解決するための手段】
前記課題を解決するため、請求項１の発明では、いずれも厚紙に代表されるシート材からなる胴部、底板および外装スリーブからなり、前記胴部の裾胴部分を、カップ外側へ全周にわたり突出された突出部とし、該突出部に底板が接着されて、前記胴部の上胴部分と前記突出部の外周面とにフラットな外装スリーブが接着され、前記上胴部分と前記突出部の外周面との間の胴部外面と外装スリーブ内面との間に断熱空間が形成されるという構成とした。
【００１３】
請求項２の発明では、突出部の内面側に底板の外縁部が接着され、前記突出部の外面側に筒状の外装スリーブの下端部が接合されているという構成を請求項１の発明に付加した。
【００１４】
請求項３の発明では、上胴部分と裾胴部分と外装スリーブとの接着部分を加圧接着部分とするという構成を請求項１または請求項２の発明に付加した。
【００１５】
請求項４の発明では、胴部の上胴部分と突出部との間に、少なくとも１本の、外装スリーブの内面に当接するピータ線たる凸条が突設されているという構成を請求項１、または請求項２または請求項３の発明に付加した。
【００１６】
請求項５の発明では、厚紙に代表されるシート材よりなる断熱カップの胴部壁のトップカールの下方の上胴部分と、胴部壁と底板との結合部より下方の裾胴部部分との間の胴部壁の全周にわたって、容器内側へ凹陥した縮径胴部を形成し、胴部壁の上胴部分と裾胴部分との外面に、胴部壁の全外面を被覆する外装スリーブを接着し、前記上胴部分と裾胴部分との間の縮径胴部と外装スリーブとの間に断熱空間を形成するという構成を請求項１、請求項２または請求項３の発明に付加した。
【００１７】
請求項６の発明では、上胴部分における胴部壁の縮径部に上向き水平面に近い段差部分を形成するという構成を請求項５の発明に付加した。
【００１８】
請求項７の発明では、縮径胴部の中央域に、外装スリーブ内面との接着凸部を全周にわたって形成するという構成を請求項５または請求項６の発明に付加するという構成とした。
請求項８の発明では、前記上胴部分と前記突出部の外周面との間の胴部外面と外装スリーブ内面との間に、カップの軸方向において前記上胴部分と前記突出部との間全体にわたって断熱空間が形成されているという構成を請求項１の発明に付加した。
【００１９】
【発明の実施の形態】
図１は、請求項１および請求項２の各発明を併せ適用した実施の一例を示しており、厚紙材よりなる胴部２０は、裾胴部分７の高さｈの区間が外側へ全周にわたり半径においてｒだけ突出されて突出部２２とされている。
【００２０】
図４、図５に示すごとく図示実施例の突出部２２は、胴部２０の裾胴部分７の下辺部分２７が突出部２２の下縁２３において内側へ折返された二重構造とされ、底板５の周縁から下向きに折曲された外縁部２４が、前記突出部２２と下辺部分２７との間に挟装され、外縁部２４の両面において接着固定されている。
【００２１】
図１の図示実施例の胴部２０と底板５とによって成形された本体カップ１９は、開口縁に外向きのトップカール３が形成されており、その直近下部たる上胴部分４と前記突出部２２の外周面とに、フラットな外装スリーブ９が、その上縁部分内面と下端部２５の内面とで接着され、前記上胴部分４と突出部２２の外周面との間の胴部外面２１と、外装スリーブ９の内面１６との間に断熱空間１０が形成されているが、トップカール３は必ずしも必要とされるものではなく、また外向きフランジ等に代えてもよいことは勿論である。
【００２２】
また図１〜図６に示す実施例では、突出部２２の下縁２３で胴部２０の下辺部分２７が内側へ折曲された二重構造とされ、底板５の周縁から下向きに折曲された外縁部２４が突出部２２と下辺部分２７との間に挟装され、接着、固定されているが、請求項１の発明では、突出部２２と底板５との接着、固定構造に格別の限定は無く、如何なる接着、固定構造であってもよいことは勿論である。
【００２３】
前記上胴部分４と裾胴部分７と外装スリーブ９との接着部分は、請求項３の発明では加圧接着部分とされている。
【００２４】
図２は、請求項１、請求項２及び請求項４の各発明を併せ適用した実施の一例を示しており、胴部２０と底板５との接着、固定は図１に示す本体カップ１９と同一構造であるが、胴部２０の外周面３３に、外装スリーブ９の内面１６に当接するピータ線たる凸条２６、２６Ａを形成し、この凸条２６、２６Ａと外装スリーブ９の内面１６とを接着可能とした点に特徴を有している。
【００２５】
この実施例では、断熱空間１０Ａを、本体カップ１９の上部から下部まで略均等厚さで形成されるよう、ピータ線たる凸条２６Ａの突出高さをピータ線たる凸条２６の高さより僅かに低く設定されている。なお形成する凸条の数は、図示のごとく２本に限定されるものではなく、凸条２６或は凸条２６Ａのいずれか１本でも、或は３本又はそれ以上であってもよい。
【００２６】
本発明は、図１、図３ないし図６に示すごとく、胴部２０と底板５とよりなる本体カップ１９の現行の成形ライン中で、本体カップ１９の裾胴部分７の突出部２２を成形することが出来る。
【００２７】
図３に示すごとき胴部２０と底板５とによる本体カップ１９の底部成形工程で、突出力ｋを外方に印加することにより、図４に示すごとく、突出部２２も成形可能である。
【００２８】
本発明の成形方法としては、現行の本体カップ１９の成形ラインに、次のいずれかの手段を追加することで達成できる。その手段としては、
▲１▼胴部と底板とを接着、接合させると同時に接合部分を外側へ突出させる。
▲２▼胴部と底板とを現行の本体成形ラインで接着、接合後、連続工程で接合部分を外側に突出させる。
▲３▼裾胴部分を予め外側へ突出させておき、その突出部へ底板を装着して胴部と接着、結合させる。
といった諸手段がある。
【００２９】
前述の突出部の形成された後、外装スリーブを本体カップと接着、結合するが、その結合手段としては、予めサイドシールしたフラットな筒状の外装スリーブに本体カップを挿入結合しても、或は本体カップにフラットな外装スリーブを巻付けて接着結合してもよい。
【００３０】
胴部２０と底板５とによる突出部２２形成形態としては、図４、図５、図６に示すごとく、変形形態が考えられ、外装スリーブ９の突出部２２への接合態様も多少異にする。
【００３１】
いずれの突出部の形態にあっても、胴部２０と外装スリーブ９との間に断熱空間１０が広く形成される。
【００３２】
本発明の場合、図３の形状が突出力ｋの印加により、図４に示すごとく、突出部２２を形成すると、胴部２０とその下辺部分２７と底板５とその外縁部２４との屈曲部分２８、２９、３０に空隙が生ずるが、接着剤層３１の存在により、液漏れ、浸潤等は生じない。
【００３３】
図５に示すごとく、胴部２０の下辺部分２７の先端３２と底板５の裏面との間に間隔を存すれば、先端３２と底板５の屈曲部分３０が重ならないことにより、屈曲部分２８と屈曲部分３０との間に空隙を生ずることがなく、より接着性が向上する。
【００３４】
また図６に示すごとく、突出部２２Ａを、下端側で拡径させ、その下端寄り外面に外装スリーブ９を接着させると、容器底縁が、図４或は図５に示すものより拡径される結果として、容器の静置安定性が向上する。
【００３５】
図９及び図１０は、請求項３、請求項５及び請求項６の各発明を併せ適用した実施の一例を示しており、厚紙に耐水性を付与する合成樹脂フィルムがラミネートされている耐水性厚紙で成形された断熱カップ１の胴壁部２において、トップカール３の下方の上胴部分４と、胴部壁２と底板５との結合部６より下方の裾胴部分７との間の全周にわたり、容器内側へ凹陥した縮径胴部８が形成されている。
【００３６】
前記胴部壁２の上胴部分４と裾胴部分７との外面には、胴部壁２の全外面を被覆する外装スリーブ９が接着されている。
【００３７】
前述の構成により、上胴部分４と裾胴部分７との間の縮径胴部８と外装スリーブ９との間に断熱空間１０が形成され、この断熱空間の上下が前記上胴部分４と裾胴部分７と外装スリーブ９との接着部分１１、１２とされている。
【００３８】
前記上胴部分４と裾胴部分７と外装スリーブ９との接着部分１１、１２は、その内外両側面から成形型による加圧によって成形作用と接着作用とを受けた加圧接着部分であり、縮径胴部８の上端は、上向き水平面に近い段差部１３に成形されており、両接着部分１１，１２も密着した多重構造となり、その剛性が向上させられている。
【００３９】
前記段差部１３が上向き水平面に近く成形されているので、該段差部１３に受皿等の周縁を掛けることにより、断熱カップ１の上部に、内容物への添加物とか小スプーン等を載置した受皿を安定に収納することができる。
【００４０】
図１１および図１２は、請求項３、請求項５、請求項６および請求項７の４発明を併せて適用した実施の２例を示しており、縮径胴部１４、１５以外の各部構成は、図９、図１０に示すものと全く同一であるので、その説明は省略し、以下請求項７の発明の適用部分について説明する。
【００４１】
図１１に示す実施例では、縮径胴部１４の中央域の全周にわたり、外装スリーブ９の内面１６に接着される接着凸部１７を縮径胴部１４に対する型押し加工により成形しておき、適宜手段で外装スリーブ９の内面１６に接着させ、断熱空間１０の中央域の保形性能を向上させ断熱カップ１を把握した際の、容器胴部の変歪の減少を図ったものである。
【００４２】
図１２は縮径胴部１５の中央域の全周にわたって形成した接着凸部１８を、発泡性接着剤スチロールあるいはボール紙等で形成し縮径胴部１５の外面と外装スリーブ９の内面１６とに接着させた構成としたもので、図１１に示す接着凸部１７と同様の作用を奏せしめたものである。
【００４３】
【発明の効果】
請求項１の発明では、胴部の裾胴部分が外側へ全周にわたり突出されているので、断熱空間が容易確実に形成される。
【００４４】
また、ボトムカール加工や断熱材との貼合などの外装スリーブの加工が不要である。
【００４５】
外装スリーブフラットなので、請求項２の発明において、外装スリーブと本体カップとの貼合が容易である。
【００４６】
本体カップの現行形成ライン中で、本体カップ裾胴部分の突出部を成形できる。すなわち底部成形工程で、突出部も成形できる。従って成形コストが低廉である。
【００４７】
更に、裾胴部部分に形成される突出部の厚さ分だけ静置縁部を広くしうるので、平面に静置させた際の静置安定度が高くなる。
【００４８】
裾胴部分に突出部が全周にわたり突出形成されているので容器底縁の半径方向への強度が向上する。
【００４９】
請求項２の発明によると、請求項１の発明に加え、外装スリーブの接合により容器底縁の強度が一段と向上する。
【００５０】
請求項３の発明では、上胴部分と裾胴部分と外装スリーブとの接着部分が加圧部分とされ、その剛性が向上されているので、トップカール直下を手指で把持しても把持部分の変形が少なく、また内容物が入っている状態の断熱カップを載置平面に少々乱暴に載置しても裾胴部の変形に起因する断熱カップの転倒等を良好防止できる等の効果を奏する。
【００５１】
請求項４の発明によると、請求項１または請求項２の発明の胴部にピータ線が突設されているので、容器胴部の対圧強度が一段と向上する。また外装スリーブの変形を防ぐことが出来、断熱空間の維持、従って断熱効果が更に向上する。
【００５２】
請求項５の発明では、胴部壁のトップカール下方の上胴部分と、胴部壁と底板との結合部である裾胴部分との間が全周にわたって凹陥した縮径胴部とされ、上胴部分と裾胴部分との外面に胴部壁の全外面を被覆して、接着された外装スリーブとの間に断熱空間が形成されているので、断熱カップの胴部壁のトップカール下方の上胴部分以外の胴部壁に概ね均一な断熱効果を持たせうる効果がある。
【００５３】
請求項６の発明では、上胴部分における胴部壁の縮径部分が上向き水平面に近い段差部を形成しているので、この段差部が手指による胴部壁上部の把持時の胴部補強材として、機能し、胴部壁の変形を防止すると共に、断熱カップ内へ嵌挿する受皿類の受支部ともなり、カップ内容物への添加物や小スプーン等を内容物から分離して収納する際に役立つ等の効果を奏する。
【００５４】
請求項７の発明では、縮径胴部の中央域が接着凸部によって外装スリーブの内面に接着され、この接着凸部が、前記中央域の全周にわたる補強部分となり、胴部壁の中央を手指によって把持した際の外装スリーブの変形を防止し、しかも容器胴部の断熱性をそこなうことが無い等の効果を奏する。
【００５５】
さらに請求項５ないし請求項７の何れかの発明も、生産工程面では、成形技術上の困難を伴う構造部分が無いので、高い生産性を維持できる効果も有している。
【図面の簡単な説明】
【図１】  請求項１および請求項２の各発明を併せ適用した実施の一例の半部を断面として示した側面図である。
【図２】  請求項１、請求項２および請求項４の各発明を併せ適用した実施の一例の半部を断面として示した側面図である。
【図３】  従来の本体カップの底部の一例の拡大部分縦断面図である。
【図４】  本体カップの底部の突出部形態を示す実施の一例の拡大部分縦断面図である。
【図５】  別の実施の一例の図４と同様の拡大部分縦断面図である。
【図６】  更に異なる実施の一例と図４と同様の拡大部分縦断面図である。
【図７】  従来例の縦断面図である。
【図８】  別の従来例の軸心垂直断面図である。
【図９】  請求項３、請求項５および請求項６の各発明を併せ適用した実施の一例の半部を断面として示した側面図である。
【図１０】  図９に示すものの要部を、一部省略して示した拡大断面図である。
【図１１】  図９に示す実施例に請求項７の発明を適用した実施の一例の半部を断面として示した側面図である。
【図１２】  図９に示す実施例に請求項７の発明を適用した別の実施例の半部を断面として示した側面図である。
【図１３】  従来の別の断熱カップの一例の半截縦断面図である。
【図１４】  従来のさらに異なる断熱カップの一例の半截縦断面図である。
【図１５】  従来の改良された断熱カップの一例の半截縦断面図である。
【符号の説明】
１  断熱カップ
２  胴部壁
３  トップカール
４  上胴部分
５  底板
６  結合部
７  裾胴部分
８、１４、１５  縮径胴部
９  外装スリーブ
１０  断熱空間
１１、１２  加圧接着部分
１３  段差部
１６  外装スリーブ内面
１７、１８  接着凸部
１９  本体カップ
２０  胴部
２１  胴部外面
２２、２２Ａ  突出部
２３  下縁
２４  外縁部
２５  外装スリーブ下端部
２６、２６Ａ  ピータ線たる凸条
２７  下辺部分
２８、２９、３０  屈曲部分
３１  接着剤層
３２  裾胴部分先端
３３  外周面
【図１】
0004693075.tif 000002
【図２】
0004693075.tif 000003
【図３】
0004693075.tif 000004
【図４】
0004693075.tif 000005
【図５】
0004693075.tif 000006
【図６】
0004693075.tif 000007
【図７】
0004693075.tif 000008
【図８】
0004693075.tif 000009
【図９】
0004693075.tif 000010
【図１０】
0004693075.tif 000011
【図１１】
0004693075.tif 000012
【図１２】
0004693075.tif 000013
【図１３】
0004693075.tif 000014
【図１４】
0004693075.tif 000015
【図１５】
0004693075.tif 000016